(57)【要約】【課題】使い勝手を向上させることができる視度調整装置、および撮像装置、並びに電子機器を提供する。【解決手段】デジタルカメラ２に据え付けられたＬＣＤ１６の前面に取り付けられる視度調整装置２０は、フレネルレンズ２３が設けられた基板２１と、脚部２２とからなる。脚部２２は、基板２１の背面の四隅から延設されている。脚部２２は、四角柱状の支持棒２４と、支持棒２４が矢印方向にスライド自在に保持される鞘２５とからなる。鞘２５に対して支持棒２４、すなわち基板２１をスライド移動させ、フレネルレンズ２３の作用で表示画面１６ａが自分の眼の焦点に合って最も見やすくなる位置に、表示画面１６ａと基板２１との距離を調整する。老眼などの遠視気味のユーザーであっても、老眼鏡といった視力矯正具をかけることなく、スルー画像によるフレーミングや、画像の再生を楽しむことができる。【選択図】図２
2009063624.tif 000002
【特許請求の範囲】
【請求項１】
電子機器に据え付けられた表示器の表示画面を覆うように取り付けられる光学部材と、
前記光学部材を通した前記表示画面を、ユーザーの視力に合わせて見易くするための視度調整を行う調整機構とを備えることを特徴とする視度調整装置。
【請求項２】
前記調整機構は、前記光学部材と前記表示画面との距離を調整することを特徴とする請求項１に記載の視度調整装置。
【請求項３】
前記調整機構は、前記光学部材を前記表示画面に対して移動自在に支持する支持部材を有することを特徴とする請求項２に記載の視度調整装置。
【請求項４】
前記光学部材は、平凸レンズをその光軸を中心にして同心円状に分割した複数の輪帯を、高さを揃えて並べたフレネルレンズからなることを特徴とする請求項２または３に記載の視度調整装置。
【請求項５】
前記光学部材は、マイクロレンズを配列したレンズアレイからなることを特徴とする請求項２または３に記載の視度調整装置。
【請求項６】
前記マイクロレンズは、正方格子状、または千鳥格子状に配列されていることを特徴とする請求項５に記載の視度調整装置。
【請求項７】
前記光学部材は、平凸レンズをその光軸を中心にして同心円状に分割した複数の輪帯を、高さを揃えて並べたフレネルレンズからなり、
前記輪帯の各々を、単一のレンズで焦点距離が可変する可変焦点レンズで構成することを特徴とする請求項１に記載の視度調整装置。
【請求項８】
前記可変焦点レンズは、流体の作用によって焦点距離が可変する流体レンズであり、
前記調整機構は、前記流体に与える駆動力を調整することを特徴とする請求項７に記載の視度調整装置。
【請求項９】
前記調整機構は、前記流体によって前記流体レンズに掛かる圧力を加減圧する加減圧手段を有することを特徴とする請求項８に記載の視度調整装置。
【請求項１０】
前記流体レンズは、前記輪帯の各々を隔てる隔壁と、
前記輪帯の曲面を象った伸縮自在な弾性部材と、
前記流体が充填される流体室とで構成されることを特徴とする請求項８または９に記載の視度調整装置。
【請求項１１】
前記弾性部材は、前記フレネルレンズの外側から中心に向かうにつれて、その厚さが漸減するように形成されていることを特徴とする請求項１０に記載の視度調整装置。
【請求項１２】
同心円状とは別に、前記輪帯をさらに隔壁で複数のセルに分割し、前記セルの各々を前記流体レンズで構成することを特徴とする請求項８ないし１１のいずれかに記載の視度調整装置。
【請求項１３】
前記光学部材は、マイクロレンズを配列したレンズアレイからなり、
前記マイクロレンズの各々を、単一のレンズで焦点距離が可変する可変焦点レンズで構成することを特徴とする請求項１に記載の視度調整装置。
【請求項１４】
前記可変焦点レンズは、流体の作用によって焦点距離が可変する流体レンズであり、
前記調整機構は、前記流体に与える駆動力を調整することを特徴とする請求項１３に記載の視度調整装置。
【請求項１５】
前記調整機構は、前記流体によって前記流体レンズに掛かる圧力を加減圧する加減圧手段を有することを特徴とする請求項１４に記載の視度調整装置。
【請求項１６】
前記マイクロレンズは、正方格子状、または千鳥格子状に配列されていることを特徴とする請求項１３ないし１５のいずれかに記載の視度調整装置。
【請求項１７】
請求項１ないし１６のいずれかに記載の視度調整装置を備えることを特徴とする撮像装置。
【請求項１８】
請求項１ないし１６のいずれかに記載の視度調整装置を備えることを特徴とする電子機器。
【発明の詳細な説明】
【技術分野】
【０００１】
本発明は、ユーザーの視力に合わせて表示器の表示画面を見易くする視度調整を行う視度調整装置、およびこの視度調整装置を備える撮像装置、並びに電子機器に関する。
【背景技術】
【０００２】
電子機器、特に携帯型の電子機器（例えば、デジタルカメラ、携帯電話、ゲーム機、ポータブルオーディオプレイヤーなど）の多くは、画像や映像、あるいは操作画面といった各種情報を表示するための液晶表示器（以下、ＬＣＤと略す）を備えている。携帯型の電子機器に据え付けられるＬＣＤには、電子機器の小型・軽量化が進んでいる現状と相俟って、小型・軽量で、それでいて視認性がよいものが求められている。
【０００３】
このような背景を踏まえ、従来、ＬＣＤの視認性を高めるための様々な提案がなされている（特許文献１参照）。特許文献１に記載の技術は、赤色用の画素に対応するようにマイクロレンズを配して、緑、青色用の画素を通過した光と散乱特性を同一とし、全体のコントラストを向上させている。
【特許文献１】特開平５−２８１５２８号公報
【発明の開示】
【発明が解決しようとする課題】
【０００４】
上述のように、携帯型の電子機器に据え付けられるＬＣＤには、比較的小型のものが用いられる。このため、加齢により水晶体の焦点調整能力が減退するいわゆる老眼など、遠視気味のユーザーにとっては、通常の使用状態と比べて電子機器を顔から離したりしないとＬＣＤの表示画面に焦点を合わせることができず、不便である。この問題は、特許文献１のように表示画面全体のコントラストを向上させたとしても、依然として解決することができない。
【０００５】
本発明は、上記課題を鑑みてなされたものであり、使い勝手を向上させることができる視度調整装置、および撮像装置、並びに電子機器を提供することを目的とする。
【課題を解決するための手段】
【０００６】
上記目的を達成するために、請求項１に記載の発明は、視度調整装置であって、電子機器に据え付けられた表示器の表示画面を覆うように取り付けられる光学部材と、前記光学部材を通した前記表示画面を、ユーザーの視力に合わせて見易くするための視度調整を行う調整機構とを備えることを特徴とする。
【０００７】
前記調整機構は、前記光学部材と前記表示画面との距離を調整することが好ましい。この場合、前記調整機構は、前記光学部材を前記表示画面に対して移動自在に支持する支持部材を有することが好ましい。
【０００８】
前記光学部材は、平凸レンズをその光軸を中心にして同心円状に分割した複数の輪帯を、高さを揃えて並べたフレネルレンズからなることが好ましい。
【０００９】
あるいは、前記光学部材は、マイクロレンズを配列したレンズアレイからなることが好ましい。この場合、前記マイクロレンズは、正方格子状、または千鳥格子状に配列されていることが好ましい。
【００１０】
前記光学部材は、平凸レンズをその光軸を中心にして同心円状に分割した複数の輪帯を、高さを揃えて並べたフレネルレンズからなり、前記輪帯の各々を、単一のレンズで焦点距離が可変する可変焦点レンズで構成することが好ましい。
【００１１】
前記可変焦点レンズは、流体の作用によって焦点距離が可変する流体レンズであり、前記調整機構は、前記流体に与える駆動力を調整することが好ましい。この場合、前記調整機構は、前記流体によって前記流体レンズに掛かる圧力を加減圧する加減圧手段を有することが好ましい。
【００１２】
前記流体レンズは、前記輪帯の各々を隔てる隔壁と、前記輪帯の曲面を象った伸縮自在な弾性部材と、前記流体が充填される流体室とで構成されることが好ましい。この場合、前記弾性部材は、前記フレネルレンズの外側から中心に向かうにつれて、その厚さが漸減するように形成されていることが好ましい。
【００１３】
同心円状とは別に、前記輪帯をさらに隔壁で複数のセルに分割し、前記セルの各々を前記流体レンズで構成することが好ましい。
【００１４】
前記光学部材は、マイクロレンズを配列したレンズアレイからなり、前記マイクロレンズの各々を、単一のレンズで焦点距離が可変する可変焦点レンズで構成することが好ましい。
【００１５】
前記可変焦点レンズは、流体の作用によって焦点距離が可変する流体レンズであり、前記調整機構は、前記流体に与える駆動力を調整することが好ましい。この場合、前記調整機構は、前記流体によって前記流体レンズに掛かる圧力を加減圧する加減圧手段を有することが好ましい。また、前記マイクロレンズは、正方格子状、または千鳥格子状に配列されていることが好ましい。
【００１６】
請求項１７に記載の発明は、撮像装置であって、請求項１ないし１６のいずれかに記載の視度調整装置を備えることを特徴とする。
【００１７】
請求項１８に記載の発明は、電子機器であって、請求項１ないし１６のいずれかに記載の視度調整装置を備えることを特徴とする。
【発明の効果】
【００１８】
本発明の視度調整装置、および撮像装置、並びに電子機器によれば、表示器の表示画面に光学部材を配し、ユーザーの視力に合わせて光学部材を通した表示画面が見易くなるように調整するので、老眼などの遠視気味のユーザーであっても、通常の使用状態と比べて電子機器を顔から離したりするといった動作をすることなく、容易に表示画面に焦点を合わせることができる。したがって、使い勝手を向上させることができる。
【発明を実施するための最良の形態】
【００１９】
図１および図２において、デジタルカメラ２は、略矩形状のカメラ本体２ａを備えている。カメラ本体２ａの前面には、撮像レンズ１０、およびストロボ発光窓１１が露呈されている。カメラ本体２ａの上面には、レリーズボタン１２、電源スイッチ１３、およびモードダイヤル１４が設けられており、側面には、開閉自在な蓋１５が設けられている。蓋１５を開くと、メモリカードが着脱自在に装填されるメモリカードスロット（ともに図示せず）が露呈される。
【００２０】
カメラ本体２ａの背面には、液晶表示器（以下、ＬＣＤと略す）１６、および操作部１７が設けられている。ＬＣＤ１６は、メモリカードから読み出した画像やスルー画像、各種メニュー画面を表示する。操作部１７は、ＬＣＤ１６にメニュー画面を表示させる際や選択内容を決定する際に操作されるメニューボタン１８、およびメニュー画面内でカーソルを移動させるための十字キー１９から構成される。
【００２１】
ＬＣＤ１６による被写体のフレーミングの後に、レリーズボタン１２が押圧されると、一回の撮影が行われる。また、モードダイヤル１４が回動操作されると、静止画撮影を行う静止画撮影モード、動画撮影を行う動画撮影モード、撮影した画像をＬＣＤ１６に表示する再生モード、および各種設定を行う設定モードが選択的に切り替えられる。動画撮影モードでは、動画の撮影とともに、マイクロホン（図示せず）を介して周囲の音声が収録される。
【００２２】
撮像レンズ１０を透過した被写体像は、撮像レンズ１０の背後に配置されたＣＣＤの撮像面に結像される。ＣＣＤは、撮像面に結像された被写体像を光電変換して、撮像信号を出力する。ＣＣＤから出力された撮像信号は、相関二重サンプリング、増幅、およびＡ／Ｄ変換の各種アナログ信号処理を施され、デジタルの画像データに変換される。
【００２３】
デジタル化された画像データは、階調変換、ホワイトバランス補正、γ補正などの各種画像処理が施される。そして、簡易的なＹＣ変換を経てＬＣＤ１６にスルー画像として表示される。また、レリーズボタン１２の押圧に伴い、本格的なＹＣ変換を施されて所定の圧縮形式（例えば、ＪＰＥＧ形式）で圧縮され、メモリカードに記録される。
【００２４】
ＬＣＤ１６の前面には、視度調整装置２０が取り付けられる。視度調整装置２０は、基板２１と、脚部（支持部材に相当）２２とからなる。基板２１は、透明な部材（例えば、アクリル樹脂、スチレン系ポリマーなどの、剛性が高く、且つ透明性の高い材料）からなり、ＬＣＤ１６の表示画面１６ａよりも若干面積が広い矩形状を有する。表示画面１６ａに対向する基板２１の部分には、基板２１と同じ材料からなるフレネルレンズ２３が設けられている。図３に示すように、フレネルレンズ２３は、周知の如く、平凸レンズをその光軸を中心にして同心円状に分割した複数の輪帯２３ａを、高さを揃えて並べたもので、下部に図示するように、断面は略鋸歯状となっている。
【００２５】
図２に戻って、脚部２２は、表示画面１６ａから外れた基板２１の背面の四隅から、前方に向けて垂直に延設されている。脚部２２は、四角柱状の支持棒２４と、支持棒２４が矢印方向にスライド自在に保持される鞘２５とからなる。支持棒２４および鞘２５には、支持棒２４を数段階のスライド位置で固定するための機構（例えば、クリックストップ機構、図示せず）が設けられている。鞘２５は、ＬＣＤ１６の四隅外側の鞘２５と対応する位置に設けられた穴２６に嵌め込まれる。鞘２５および穴２６には、視度調整装置２０をカメラ本体２ａから装脱自在とする機構（例えば、係合爪および係合穴、図示せず）が設けられている。
【００２６】
図４において、視度調整装置２０を使用する際には、鞘２５を穴２６に嵌め込み、視度調整装置２０をカメラ本体２ａに装着する。そして、鞘２５に対して支持棒２４、すなわち基板２１を矢印方向にスライド移動させ、フレネルレンズ２３の作用で表示画面１６ａが自分の眼の焦点に合って最も見やすくなる位置に、表示画面１６ａと基板２１との距離を調整する。これにより、老眼などの遠視気味のユーザーであっても、老眼鏡といった視力矯正具をかけることなく、スルー画像によるフレーミングや、画像の再生を楽しむことができる。また、遠視気味のユーザーでなくとも、時間帯や眼精疲労の度合いによって視力が変化するので、その時々の視力に適応させることもできる。
【００２７】
上記実施形態では、基板２１を手動でスライド移動させ、表示画面１６ａとフレネルレンズ２３との距離を調整する例を挙げて説明したが、スライド機構としては、ラックギヤとピニオンギヤ、スライドレールと溝などを支持棒２４と鞘２５に設け、モータ、流体圧、あるいはバネ付勢を利用して機械的に駆動するなど、周知の技術を用いることができ、ボタン操作で自動的にスライド移動させてもよい。また、基板２１をスライド移動させるのではなく、ＬＣＤ１６を基板２１に対してスライド移動させてもよい。要するに、フレネルレンズ２３と表示画面１６ａとの距離が相対的に可変するものであれば、如何なる機構を用いてもよい。
【００２８】
なお、表示画面１６ａとフレネルレンズ２３との距離を調整する代わりに、以下に示す態様を適用してもよい。なお、以下では、上記実施形態で図示および説明した同一の部材には同一の符号を付し、説明を省略する。
【００２９】
図５において、デジタルカメラ３０のカメラ本体３０ａの背面には、視度調整装置３１が一体的に取り付けられている。また、操作部１７には、視度調整を行う際に操作される加圧ボタン３２と、視度調整を解除する際に操作される解除ボタン３３とが設けられている。加圧ボタン３２は、略半分がカメラ本体３０ａから突出し、残り半分はカメラ本体３０ａに没している。解除ボタン３３は、不注意に押圧されることを防ぐために、全てがカメラ本体３０ａの凹部に没している（図７、図８も参照）。
【００３０】
表示画面１６ａに対向する視度調整装置３１の基板３４（基板２１と同様の透明な部材からなる）の部分には、フレネルレンズ３５が設けられている。図６に示すように、フレネルレンズ３５は、フレネルレンズ２３と同様に、複数の輪帯３５ａを並べたものである。輪帯３５ａは、隣接する輪帯３５ａ同士を仕切る隔壁４０と、隔壁４０間に取り付けられたフイルム（弾性部材に相当）４１と、隔壁４０とフイルム４１とで囲まれる流体室４２とを備え、流体レンズを構成している。隔壁４０は、透明且つ変形しない硬質な材料（例えば、アクリル樹脂、スチレン系ポリマーなどの、剛性が高く、且つ透明性の高い材料）からなる。隔壁４０は、ＬＣＤ１６の表示が見え難くならないように、輪帯３５ａに比べて無視できるほど狭い幅で形成されている。
【００３１】
フイルム４１は、透明且つ伸縮自在な材料（例えば、ポリプロピレン、ポリ酢酸ビニルなど）からなる。フイルム４１は、フレネルレンズ３５の外側から中心に向かうにつれて、その厚さが漸減するように形成されている。
【００３２】
流体室４２には、基板３４内に敷設された配管４３に繋がる出入り口４４が設けられている。配管４３は、矢印で示すように、基板３４内で合流して一本の配管４５に接続されている。配管４３は、基板３４と同じ材料からなり、隔壁４０と同様、ＬＣＤ１６の表示が見え難くならないように細く形成されている。
【００３３】
図７に示すように、配管４５は、基板３４からカメラ本体３０ａ内を埋設され、その一端が蛇腹形状を有するベローズ５０の底面に穿たれた出入り口５１に接続されている。ベローズ５０の内部には、コイルバネ５２が設けられ、ベローズ５０の底面に対向する上面には、加圧ボタン３２の底面が取り付けられている。コイルバネ５２は、ベローズ５０を矢印上方向、つまりベローズ５０が伸びる方向に付勢している。
【００３４】
基板３４から出入り口５１に至る配管４５の途中には、逆止弁５３が接続されている。逆止弁５３は、出入り口５１側、および基板３４側の配管４５にそれぞれ繋がる中継口５４、５５と、中継口５４を塞ぐためのボール５６と、ボール５６を矢印上方向（中継口５４側）に付勢するコイルバネ５７とを有する。ボール５６には、解除ボタン３３と一体化されたニードル５８の先端が取り付けられている。
【００３５】
流体室４２、配管４３、４５、ベローズ５０、および逆止弁５３の内部は、流体５９で充填されている（図６参照、図７、８は煩雑を避けるため不図示）。流体５９は、例えば、水、油などの液体からなる。流体５９が充填された各部には、流体５９が外部に漏れ出さないように、ガスケットやＯリングなどのシール部材（図示せず）が取り付けられている。シール部材は、ニードル５８が配管４５に通される穴６０にも取り付けられており、ニードル５８が矢印上下方向に移動した際でも、流体５９が穴６０から漏れ出さないようになっている。
【００３６】
加圧ボタン３２が押圧されていない図７に示す平衡状態では、コイルバネ５２の付勢によって、ベローズ５０が伸びた状態となっている。また、コイルバネ５５の付勢によって、ボール５６が中継口５４を塞ぐ位置にある。
【００３７】
図８に示すように、平衡状態からコイルバネ５２の付勢に抗して加圧ボタン３２が矢印下方向に押圧されると、これに連動してベローズ５０が矢印下方向に縮んでいく。ベローズ５０が縮むと、その力に応じた圧力が出入り口５１から配管４５、逆止弁５３に伝わる。この圧力によってボール５６に加わる力が、コイルバネ５５の付勢力よりも大きい場合、コイルバネ５５の付勢に抗してボール５６が矢印下方向（中継口５５側）に移動される。ボール５６が矢印下方向に移動すると、中継口５４の閉塞が解かれ、ベローズ５０が縮んだことにより発生した圧力が中継口５５から基板３４側の配管４５へと伝わる。
【００３８】
基板３４側の配管４５に伝わった圧力は、配管４３、流体室４２を介してフイルム４１に伝わる。フイルム４１に伝わる圧力は、パスカルの原理により、ベローズ５０が縮んだことにより最初に発生した圧力と同じである。フイルム４１に圧力が伝わると、図９の右側に示すように、厚さが薄い部分から先に、フイルム４１が外側に膨張する。これにより、平凸レンズを構成する各輪帯３５ａの焦点距離が変化する。フイルム４１は、加圧ボタン３２が押され続け、ベローズ５０が縮みきるまで膨張し続ける。
【００３９】
ベローズ５０が縮みきる前に加圧ボタン３２の押圧が途中で止められると、コイルバネ５５の付勢によって、ボール５６が中継口５４を塞ぐ位置に戻る。この逆止弁５３の作用によって、そのときのフイルム４１の膨張状態が維持される。つまり、ＬＣＤ１６の表示を見ながら加圧ボタン３２を押圧し、ＬＣＤ１６の表示が見やすくなったところで加圧ボタン３２を押圧するのを止めれば、ＬＣＤ１６の表示が自分の眼の焦点に合って見やすくなった状態で、デジタルカメラ３０を使用することができる。
【００４０】
フイルム４１が膨張した状態で解除ボタン３３が押圧されると、コイルバネ５５の付勢に抗して、ニードル５８、延いてはボール５６が矢印下方向に移動し、中継口５４の閉塞が解かれる。中継口５４の閉塞が解かれると、フイルム４１は元の状態に収縮する。また、加圧ボタン３２の押圧によって縮んでいたベローズ５０は元に伸ばされ、これに伴って加圧ボタン３２も元の平衡状態の位置に戻される。
【００４１】
このように、視度調整のための光学部材として、輪帯３５ａが流体レンズで構成されるフレネルレンズ３５を用いれば、上記実施形態のように脚部２２を設ける必要がなくなるので、脚部２２の分だけ小型化することができる。また、視度調整装置２０を使用する際には、脚部２２があることによって視度調整装置２０がカメラ本体２ａから突き出すので、操作の邪魔になる、手などが引っ掛かって破損するといった懸念があるが、視度調整装置３１は、カメラ本体３０ａに隙間なく一体化されているので、視度調整装置２０のような懸念がなくなる。
【００４２】
フレネルレンズ３５は、流体５９による圧力でフイルム４１を伸縮させ、各輪帯３５ａの焦点距離を変化させるものであるが、フイルム４１および流体５９が重力の影響を受け、フイルム４１に掛かる力が鉛直方向上側と下側の部分で均一にならず、結果として視度調整がうまく行えないという問題がある。
【００４３】
そこで、図１０に示すように、輪帯３５ａを周方向に等分割（ここでは八等分）する隔壁７０を設けたフレネルレンズ７１を用いてもよい。なお、以下、フレネルレンズ３５を用いた態様と同じ部材には同じ符号を付して説明する。また、隔壁７０で等分割された輪帯３５ａのそれぞれをセル７２、セル７２を構成するフイルム４１、流体室４２をそれぞれ、フイルム４１ａ、流体室４２ａと表記する。
【００４４】
この場合、流体室４２ａ毎に、流体５９の出入り口７３を設ける（ここでは代表として二個のみ図示）。そして、矢印で示すように、出入り口７３に繋がる配管７４（符号のみ付して図示せず）を基板３４内で合流して、一本の配管７５に接続する。配管７５は、輪帯３５ａ毎に設けられており、配管４３と同様に、基板３４内で合流して配管４５に接続されている。つまり、一本の配管４５から、輪帯３５ａの個数分の本数の配管７５に分岐し、さらにそれぞれの配管７５から、八本の配管７４に分岐している。
【００４５】
加圧ボタン３２が押圧されることにより発生した圧力は、配管４５、７５、７４、流体室４２ａを介してフイルム４１ａに加えられる。パスカルの原理により、各フイルム４１ａには同じ圧力が掛けられる。また、各フイルム４１ａは同じ面積を有するので、これらに加えられる力も同じになる。したがって、各フイルム４１ａの膨張量は同じになる。
【００４６】
このように、各輪帯３５ａを周方向に等分割すれば、個々のセル７２では重力の影響を受けるが、全体として見た場合、フレネルレンズ３５の場合よりも重力の影響を少なくすることができる。
【００４７】
また、図１１に示すように、輪帯３５ａを、デジタルカメラの下面が地面と略平行となるように構えたとき（いわゆる横撮り）の鉛直方向に直交する方向（以下、横方向）に分割する隔壁８０を設けたフレネルレンズ８１を用いてもよい。隔壁８０は、各輪帯３５ａに一点で接するように設けられている。なお、隔壁８０で分割された輪帯３５ａのそれぞれをセル８２、セル８２を構成するフイルム４１、流体室４２をそれぞれ、フイルム４１ｂ、流体室４２ｂと表記する。
【００４８】
この場合、横方向に連なる各セル８２の流体室４２ｂを繋げるために、隔壁４０に流通穴８３を設ける。また、横方向の区画毎に、流体５９の出入り口８４を設ける（ここでは代表として三個のみ図示）。そして、矢印で示すように、各出入り口８４に繋がる配管８５を、同数のポンプ８６に接続する。各ポンプ８６は、流体５９に掛ける圧力が同じとなるように、同じ性能のものが用いられている。このようにすれば、図１０に示す例と同様の効果が得られる。
【００４９】
さらに、図１２に示すように、フレネルレンズ８１の構成は図１１のままで、同じ断面積となるように形成した加圧室９０を、配管８５の代わりに出入り口８４に接続し、一つのポンプ９１の圧力で加圧室９０に接続されたピストン９２を押す構成としてもよい。このようにすると、ピストン９２で押し退けられる加圧室９０内の流体５９の量が同じになるので、図１０、図１１の例と同様の効果が得られる。そのうえ、ポンプが一台で済むので、図１１の例と比べて、部品点数の削減、コストダウンを図ることができる。なお、ポンプ８６、９１としては、例えば、積層型圧電素子を駆動源とするマイクロポンプなどの小型アクチュエータが用いられる。
【００５０】
なお、上記のように隔壁８０で横方向に分割した場合、横方向に連なる各セル８２のフイルム４１ｂの面積は、フレネルレンズ８１の中心から周縁に向かって小さくなる。このため、横方向の各セル８２に同じ圧力を掛けた場合、フイルム４１ｂに加わる力は、フレネルレンズ８１の中心から周縁に向かって小さくなるので、各セル８２のフイルム４１ｂが同じ形状であると、フイルム４１ｂの膨張量もフレネルレンズ８１の中心から周縁に向かって小さくなり、横方向でフイルム４１ｂの膨張量が均一とならない。そこで、この膨張量の不均一を解消するため、フイルム４１ｂの形状を、フレネルレンズ８１の中心から周縁に向かって、薄肉部分の割合が多くなるように形成することが好ましい。フイルム４１ｂの形状を上記のようにする方法としては、フイルム４１ｂを加熱して半溶融状態とした後、フレネルレンズ８１をその中心を軸にして回転させ、このときのフレネルレンズ８１の中心と周縁における遠心力の差を利用する方法が挙げられる（遠心力はフレネルレンズ８１の周縁ほど大きいので、周縁の方がフイルム４１ｂの薄肉部分の割合が多くなる）。
【００５１】
重力の影響を少なくする他の方法としては、例えば、横撮りしたときの鉛直方向に向かうにつれて、フイルム４１を徐々に厚く形成し、下側の膨張量を抑えることが挙げられる。この場合、フレネルレンズを回転自在に基板に保持するとともに、フレネルレンズに重りを取り付けて、デジタルカメラの持つ向きに関わらず、フイルム４１の厚く形成した側が常に鉛直方向に向くようにしてもよい。
【００５２】
なお、光学部材としては、上記実施形態のフレネルレンズの代わりに、図１３（Ａ）に示すように正方格子状、または（Ｂ）に示すように千鳥格子状にマイクロレンズ１００を配列してなるレンズアレイ１０１を用いてもよい。マイクロレンズ１００は、ＬＣＤ１６の画素毎、あるいは、数個の画素毎に設けられている。レンズアレイ１０１と表示画面１６ａとの距離を可変するか、マイクロレンズ１００を流体レンズで構成し、流体の加減圧によりマイクロレンズ１００の焦点距離を可変すれば、上記実施形態と同様の効果が得られる。
【００５３】
また、可変焦点レンズとして、流体圧を利用した流体レンズを例に挙げて説明したが、水と油など、互いに混ざらない二種類の液体を密閉空間内に封入し、電圧を印加して二種類の液体の界面形状を凸状または凹状に変化させて焦点距離を可変する流体レンズや、液晶に電圧を印加してその屈折率を変化させ、電圧を制御することにより焦点距離を可変する液晶レンズなど、他の可変焦点レンズを採用してもよい。
【００５４】
上記実施形態では、既存のＬＣＤの上面に視度調整装置を配しているが、ＬＣＤを保護する保護ガラスの代わりに視度調整装置を取り付けるなどして、ＬＣＤに視度調整装置を一体的に組み込んでもよい。
【００５５】
上記実施形態では、撮像装置、および電子機器として、デジタルカメラを例示して説明したが、他の携帯型電子機器（携帯電話、ゲーム機、ポータブルオーディオプレイヤーなど）のＬＣＤの視度調整に用いてもよい。
【図面の簡単な説明】
【００５６】
【図１】デジタルカメラの正面外観斜視図である。
【図２】デジタルカメラの背面外観、および視度調整装置の外観を示す斜視図である。
【図３】フレネルレンズを示す図である。
【図４】視度調整装置をデジタルカメラに装着した状態を示す図である。
【図５】輪帯を流体レンズで構成したフレネルレンズを用いた視度調整装置が一体的に取り付けられたデジタルカメラの背面外観斜視図である。
【図６】図５の視度調整装置の構成を示す断面図である。
【図７】図５の視度調整装置の流体を加減圧する機構を示す図であり、加圧がされていない状態を示す。
【図８】図５の視度調整装置の流体を加減圧する機構を示す図であり、加圧がされた状態を示す。
【図９】加圧前後のフイルムの形状変化の仕方を示す説明図である。
【図１０】同心円状とは別に、輪帯をさらに分割した例を示す図である。
【図１１】同心円状とは別に、輪帯をさらに分割し、分割した各々に同じ圧力を掛ける例を示す図である。
【図１２】同心円状とは別に、輪帯をさらに分割し、分割した各々に同じ圧力を掛ける別の例を示す図である。
【図１３】レンズアレイを示す図であり、（Ａ）は正方格子状、（Ｂ）は千鳥格子状に配列した例をそれぞれ示す。
【符号の説明】
【００５７】
２、３０  デジタルカメラ
１６  ＬＣＤ
２０、３１  視度調整装置
２２  脚部
２３、３５、７１、８１  フレネルレンズ
２３ａ、３５ａ  輪帯
４０、７０、８０  隔壁
４１  フイルム
４２  流体室
５０  ベローズ
５３  逆止弁
５９  流体
７２、８２  セル
８６、９１  ポンプ
１００  マイクロレンズ
１０１  レンズアレイ
【図１】
2009063624.tif 000003
【図２】
2009063624.tif 000004
【図３】
2009063624.tif 000005
【図４】
2009063624.tif 000006
【図５】
2009063624.tif 000007
【図６】
2009063624.tif 000008
【図７】
2009063624.tif 000009
【図８】
2009063624.tif 000010
【図９】
2009063624.tif 000011
【図１０】
2009063624.tif 000012
【図１１】
2009063624.tif 000013
【図１２】
2009063624.tif 000014
【図１３】
2009063624.tif 000015